(57)【要約】【課題】建設工事の際の仮設資材の解体を、能率的、且つ安全に行えるようにする。【解決手段】操作杆２と、この操作杆２先端側に、足場に併設した転落防止用の手摺枠Ｄを結合する連結手段のロック解除をするためのロック解除具３を設ける。前記操作杆２は、操作基杆２ａと、この操作基杆２ａに対し、格納引き出し可能に設けた調節杆２ｂとによって構成して、この調節杆２ｂを前記操作基杆２ａに対し、所望調節位置に保持するための拘束手段４とを備えている。この拘束手段４を構成するナット部材６を回動操作して、締付端部材５側の基端部５ａに螺入していくことで、ナット部材６側の押圧内壁９が前記締付端部材５側の押圧部５ｂを押し込み、この押圧部５ｂが縮径的に変形して、挿通した調節杆２ｂを圧接し、前記調節杆２ｂを所望の位置で拘束する構成とする。【選択図】              図２
2004346693.tif 000002
【特許請求の範囲】
【請求項１】
パイプ材で構成した操作杆と、この操作杆先端側に傾斜構成したロック解除具とを有し、このロック解除具は足場における仮設資材をロック保持する連結手段に係合可能に構成し、前記操作杆は、操作基杆と、この操作基杆に対し、格納引き出し可能に設けた調節杆とによって構成して、この調節杆を前記操作基杆に対し、所望調節位置に保持するための拘束手段を備え、前記ロック解除具を、仮設資材をロック保持する連結手段に係合した状態で、前記操作杆を変位操作することで、前記連結手段のロックを解除して、前記仮設資材を取り外すようにしたことを特徴とする仮設資材用解体治具。
【請求項２】
前記拘束手段は、前記操作基杆先端の開口端に嵌着した締付端部材と、この締付端部材を縮径的に締め付けることで前記調節杆を任意の調節位置で拘束するナット部材とで構成したことを特徴とする請求項１記載の仮設資材用解体治具。
【請求項３】
前記拘束手段は、前記操作基杆先端側に設けて、前記調節杆を任意の調節位置で締め付け保持するクランプ手段によって構成したことを特徴とする請求項１記載の仮設資材用解体治具。
【請求項４】
前記ロック解除具は、前記連結手段に嵌入可能な中空パイプ材で構成し、前記操作杆に対して鈍角をなすように操作杆に設けたことを特徴とする請求項１記載の仮設資材用解体治具。
【請求項５】
前記ロック解除具は、前記調節杆と一体構成としたことを特徴とする請求項１記載の仮設資材用解体治具。
【請求項６】
前記ロック解除具の中間に、携帯用フックロッドを突設したことを特徴とする請求項１または４、５記載の仮設資材用解体治具。
【請求項７】
前記操作基杆に、落下防止用ロープを連結する連結具を設けたことを特徴とする請求項１ないし３記載のうち、いずれか１記載の仮設資材用解体治具。
【請求項８】
前記操作杆を構成する操作基杆および調節杆とロック解除具とを合成樹脂管で構成したことを特徴とする請求項１ないし７記載のうち、いずれか１記載の仮設資材用解体治具。
【請求項９】
前記操作杆は、断面円形パイプ材によって構成したことを特徴とする請求項１ないし８記載のうち、いずれか１記載の仮設資材用解体治具。
【請求項１０】
前記操作杆は、断面非円形パイプ材によって構成したことを特徴とする請求項１、３、４、６ないし８記載のうち、いずれか１記載の仮設資材用解体治具。
【請求項１１】
前記操作杆は、断面角形パイプ材によって構成したことを特徴とする請求項１、３、４、６ないし８記載のうち、いずれか１記載の仮設資材用解体治具。
【発明の詳細な説明】
【０００１】
【発明の属する技術分野】
本発明は、例えば、建設工事の際の仮設資材の解体を、能率的、且つ安全に行えるようにした、仮設資材用解体治具に関するものである。
【０００２】
【従来の技術】
現在、土木建設工事、修繕工事の際、施工構築物に使用される仮設資材のうち、施工者の足場は、主として所定の規格化されたユニット（建枠、布枠、ブレース等）により、施工構築物周囲に、複数列、複数段に組み上げて構成している。また、このような足場の解体は、上段から下段まで作業者の手によって、一段、一段建枠や布枠を取り外すことで行われていくため、作業者の転落防止のために、手摺枠を配置するようにしている（特開２００３−１２００１８号公報）。
この場合、手摺枠は、建枠に沿わせて設置された、互いに隣接する支柱パイプ間に、支柱パイプ側に設けた連結手段により、前記手摺枠を簡単に嵌め込む一方、脱落しないように結合する構成としている。
【０００３】
【発明が解決しようとする課題】
しかしながら、このような取り付け方で前記手摺枠を取り付けるため、手摺枠の取り付け作業は容易ではあるが、撤去の際は、上記支柱パイプ側に設けた連結手段を、一つ一つ手で解除操作して、手摺枠を取り外さなくてはならない。その際、作業者は、取り外す手摺枠における足場にいて解除操作を行うため、転落のおそれがあった。
そこで、前記取り外す手摺枠より一段下の、転落するおそれのない足場にいて、当該上段の手摺枠の取り外し作業をすれば、安全に作業を遂行できるであろうという観点に至り、そのための道具を案出することとなった。
本発明は、以上のような背景から提案されたものであって、建設工事の際の仮設資材の解体を、能率的、且つ安全に行えるようにした、仮設資材用解体治具を提供することを目的とする。
【０００４】
【課題を解決するための手段】
前記した課題を解決するために、本発明では、請求項１において、パイプ材で構成した操作杆と、この操作杆先端側に傾斜構成したロック解除具とを有し、このロック解除具は足場における仮設資材をロック保持する連結手段に係合可能に構成し、前記操作杆は、操作基杆と、この操作基杆に対し、格納引き出し可能に設けた調節杆とによって構成して、この調節杆を前記操作基杆に対し、所望調節位置に保持するための拘束手段を備え、前記ロック解除具を、仮設資材をロック保持する連結手段に係合した状態で、前記操作杆を変位操作することで、前記連結手段のロックを解除して、前記仮設資材を取り外すようにした仮設資材用解体治具を提案する。
また本発明では、請求項２において、前記拘束手段は、前記操作基杆先端の開口端に嵌着した締付端部材と、この締付端部材を縮径的に締め付けることで前記調節杆を任意の調節位置で拘束するナット部材とで構成した仮設資材用解体治具を提案する。
また本発明では、請求項３において、前記拘束手段は、前記操作基杆先端側に設けて、前記調節杆を任意の調節位置で締め付け保持するクランプ手段によって構成した仮設資材用解体治具を提案する。
また本発明では、請求項４において、前記ロック解除具は、前記連結手段に嵌入可能な中空パイプ材で構成し、前記操作杆に対して鈍角をなすように操作杆に設けた仮設資材用解体治具を提案する。
また本発明では、請求項５において、前記ロック解除具は、前記調節杆と一体構成とした仮設資材用解体治具を提案する。
また本発明では、請求項６において、前記ロック解除具の中間に、携帯用フックロッドを突設した仮設資材用解体治具を提案する。
また本発明では、請求項７において、前記操作基杆に、落下防止用ロープを連結する連結具を設けた仮設資材用解体治具を提案する。
また本発明では、請求項８において、前記操作杆を構成する操作基杆および調節杆とロック解除具とを合成樹脂管で構成した仮設資材用解体治具を提案する。また本発明では、請求項９において、前記操作杆は、断面円形パイプ材によって構成した仮設資材用解体治具を提案する。
また本発明では、請求項１０において、前記操作杆は、断面非円形パイプ材によって構成した仮設資材用解体治具を提案する。
さらに本発明では、請求項１１において、前記操作杆は、断面角形パイプ材によって構成した仮設資材用解体治具を提案する。
【０００５】
請求項１によれば、作業者は、使用状況に応じて、操作基杆に対し、調節杆を格納した状態で、調節杆先端側のロック解除具を連結手段に係合して解除操作したり、操作基杆から調節杆を引き出して、拘束手段により固定した状態で、仮設資材の解除操作が可能である。
【０００６】
請求項２によれば、調節杆を操作基杆から引き出し、所望の引き出し位置にて、ナット部材を、前記操作基杆先端の開口端における締付端部材にねじ込むことで、この締付端部材が縮径的に締め付けられ、前記調節杆を所望の位置で拘束することができる。
【０００７】
請求項３によれば、調節杆を操作基杆から引き出し、所望の引き出し位置にて、操作基杆先端側のクランプ手段を締め付け操作することで、前記調節杆を拘束することができる。
【０００８】
請求項４によれば、操作杆先端側のロック解除具における開口端を、連結手段に係合して前記操作杆の手元側を押し込むことで連結手段のロック解除がなされる。
【０００９】
請求項５によれば、ロック解除具は、調節杆と一体であるので、部品点数が減り、工程数も軽減することから、安価に製造することができ、強度上も問題はない。
【００１０】
請求項６によれば、解体作業にするにあたり、解体治具を作業服の腰のベルト部分にフックロッドを引っ掛けた状態で足場を移動して、解体箇所に移動することができる。
【００１１】
請求項７によれば、移動中に、解体治具が作業服の腰のベルト部分からフックロッドから外れても、落下を防止することができる。
【００１２】
請求項８によれば、前記操作杆を構成する操作基杆および調節杆とロック解除具とを合成樹脂管で構成することで、製造は容易であり、軽量でしかも強度上も問題はない。
【００１３】
請求項９によれば、操作杆を断面円形パイプ材によって構成することで、比較的肉薄のパイプ素材を用いても強度を確保することができ、軽量化に寄与することができる。
【００１４】
請求項１０によれば、操作杆を断面非円形パイプ材によって構成することで、操作基杆に対し、調節杆が軸廻りに回動することなく、調節杆の出し入れ調節が容易である。
【００１５】
請求項１１によれば、操作杆を断面角形パイプ材で構成したことで、握りやすく解除操作しやすい。
【００１６】
【発明の実施の形態】
以下、本発明にかかる仮設資材用解体治具につき、一つの実施の形態を示し、添付の図面に基づいて説明する。
図１、図２に仮設資材用解体治具１を示し、この仮設資材用解体治具１は、断面円形状の操作杆２と、この操作杆２先端側に傾斜構成したロック解除具３とを備えたものである。
このロック解除具３は足場における仮設資材をロック保持する連結手段（後述）に係合可能に構成し、前記連結手段に係合した状態で操作杆２を変位操作することで、前記連結手段のロックを解除するようにしている。
【００１７】
前記解体治具１は、全体を例えばアルミニウム製円筒パイプ材で構成することができる。もちろん、所定の強度があれば、合成樹脂製円筒パイプ材も可能である。
【００１８】
前記操作杆２は、操作基杆２ａと、この操作基杆２ａに対し、格納引き出し可能に設けた調節杆２ｂとによって構成して、この調節杆２ｂを前記操作基杆２ａに対し、所望調節位置に保持するための拘束手段４とを備えている。
この拘束手段４は、図２に示すように、前記操作基杆２ａ先端の開口端に嵌着した締付端部材５と、この締付端部材５を縮径的に締め付けることで前記調節杆２ｂを任意の位置で拘束するナット部材６とで構成している。
【００１９】
ここで、前記拘束手段４についてさらに詳細に説明する。
前記締付端部材５は、内径が前記調節杆２ｂの外径にほぼ等しい寸法を有する。すなわち、締付端部材５は、前記操作基杆２ａ先端の開口端に嵌着した基端部５ａと、テーパー状外形を有して、所定角度ごとにスリットＳを設けた押圧部５ｂとで構成している。前記基端部５ａ外周には、後述するナット部材６を螺着するためのネジ山を形成している。
【００２０】
一方、前記ナット部材６は、外周に多数の条を形成した円筒キャップ状部材であり、中心軸に沿って前記調節杆２ｂを挿通する通孔７を有している。
またナット部材６内側には、前記締付端部材５における基端部５ａおよび押圧部５ｂに対応して、それぞれ螺合部８、押圧内壁９を形成している。またこれら螺合部８、押圧内壁９は前記通孔７に連通している。
前記押圧内壁９は、前記締付端部材５側の押圧部５ｂ外周に当接する内径を有している。
このような構成により、前記ナット部材６を回動操作して、ナット部材６の螺合部８を、前記締付端部材５側の基端部５ａに螺入していくことで、押圧内壁９が前記締付端部材５側の押圧部５ｂのテーパー外周の径の大なる方へ移動して、前記押圧部５ｂが、複数のスリットＳの存在により縮径的に変形して、挿通した調節杆２ｂを圧接し、前記調節杆２ｂを所望の位置で拘束するようにしている（図３参照）。
【００２１】
そして、前記調節杆２ｂ先端側のロック解除具３は、所定長さの中空パイプ材で構成し（図４参照）、前記調節杆２ｂに対して１２０度程度の鈍角で溶着している。この場合、ロック解除具３の内径は、後述する手摺枠を結合する連結手段に対応して嵌入可能に設定している。
また前記ロック解除具３の中間には、携帯用フックロッド１０を突設している。このフックロッド１０は、適宜な軸部材を用いて構成し、中間から先端にかけて、前記調節杆２ｂに略平行になるように屈曲させている。これによって、前記フックロッド１０は、作業服の腰ベルト等に引っ掛けやすく、前記解体治具１に携帯性をもたらしている（図５参照）。
【００２２】
さらに前記操作杆２のうちの操作基杆２ａには、作業服の腰ベルト等に設けた落下防止用ロープＬを連結する連結リング１１を設けている。
【００２３】
ここで、仮設資材による足場Ｆについて説明する。
足場Ｆは、図６に示すように、建枠Ａ、布枠Ｂ、３角枠Ｃ等により、施工構築物周囲に、複数列、複数段に組み上げて構成しており、さらに、転落防止用の手摺枠Ｄを設けている。この手摺枠Ｄは、建枠Ａに沿って設けた連結手段１２によって取り付けている（図７参照）。
【００２４】
前記連結手段１２は、建枠Ａに突設した突部１３に、ばね部材によって突出する側に付勢したロック手段１４を設けて構成している。この突部１３を、手摺枠Ｄの四隅に設けた受具１５の係止穴ｈに挿通することで、前記ロック手段１４を前記突部１３の径方向に突出させて、手摺枠Ｄを、受具１５を介して脱落しないように保持するようにしている。
【００２５】
このような連結手段１２における突部１３のロック手段１４は、前記ロック解除具３先端の開口端からロック解除具３内面に嵌入させて、ロック解除具３を変位させることで、ロック解除具３内壁により、突部１３内にロック手段１４をばね力に抗して押し込むことでロック解除し、前記手摺枠Ｄを手摺枠Ｄの四隅に設けた受具１５を突部１３から離脱させて、取り外す構成である。
【００２６】
本発明にかかる仮設資材用解体治具１は、以上のように構成されるものであり、次に仮設資材用解体治具１による足場Ｆ、手摺枠Ｄの解体手順を説明する。
土木工事、建築工事、修繕工事等が終了し、施工構築物に使用されている仮設資材は、最上部から順に外していくようにする。そのために、作業者は、足場Ｆを伝って最上部まで上っていき、建枠Ａ、布枠Ｂ、３角枠Ｃを一つ一つ、外していくことになる。この際、作業者は解体治具１を、作業服の腰ベルト等に調節杆２ｂ先端のロック解除具３に設けたフックロッド１０を引っ掛けて携帯することができる。また、操作基杆２ａの連結リング１１に、作業服の腰ベルト等に設けた落下防止用ロープＬを連結すれば解体治具１を落としてしまうようなことはない（図５参照）。
【００２７】
先ず、作業者は、外すべき最上部の足場Ｆにきて、その位置の布枠Ｂに乗り、最上部の足場Ｆを構成する建枠Ａと共に３角枠Ｃを外し、その最上部の足場Ｆの一段下の位置にきて、前記布枠Ｂを外す。
次いで、前記最上部の手摺枠Ｄを外すわけだが、手摺枠Ｄの下側の双方の受具１５における連結手段１２の突部１３のロック手段１４を押し込んでそれぞれ取り外し、再びロックされないように手摺枠Ｄの下側を引き離す（図６、図８参照）。
【００２８】
次に、腰ベルトに引っ掛けた解体治具１を手にとり、調節杆２ｂ先端のロック解除具３が、手摺枠Ｄの上側の受具１５における連結手段１２に届くかどうか確かめる。
前記ロック解除具３が前記手摺枠Ｄの上側の受具１５における連結手段１２に届けばそのまま、前記ロック解除具３先端の開口端に、連結手段１２の突部１３、およびロック手段１４に嵌め入れていき解除操作を開始する（図９参照）。
【００２９】
また、ロック解除具３が、手摺枠Ｄの上側の受具１５における連結手段１２に届かないときは、解体治具１の操作杆２の長さを変える。すなわち、前記ナット部材６を、ナット部材６の螺合部８が、前記締付端部材５側の基端部５ａから離脱するように操作して緩めておき、調節杆２ｂを引っ張って、操作基杆２ａから調節杆２ｂを引き出す。
前記調節杆２ｂが所望の長さに引き出されたところで、前記ナット部材６を操作して、ナット部材６の螺合部８を、前記締付端部材５側の基端部５ａに螺入していく。こうすることによって、ナット部材６の押圧内壁９が前記締付端部材５側の押圧部５ｂのテーパー外周の径の大なる方へ移動するので、前記押圧部５ｂが、複数のスリットＳの存在により縮径的に変形して、挿通した調節杆２ｂを圧接し、前記調節杆２ｂを拘束することができるのである（図３参照）。
斯くて前記操作基杆２ａと調節杆２ｂとは、一つの杆のごとくぐらつくことなく固定される。
【００３０】
以上のように操作杆２の長さを合わせることで、解除操作を行うことができる。前記ロック解除具３先端の開口端に、連結手段１２の突部１３、およびロック手段１４に嵌め入れた状態で、操作杆２の握り箇所側を建枠Ａに向かって押し込むことで、ロック解除具３内壁によって、連結手段１２のロック手段１４がばね力に抗して押し込まれ、これにより前記連結手段１２のロック作用を解除することができ、手摺枠Ｄを建枠Ａから取り外すことができる（図１０、図１１、図８参照）。
そして、もう一方の連結手段１２を同様にして解体治具１により取り外せば、その手摺枠Ｄの解体が完了する。
このようにして、足場Ｆの上部側から順次、取り外しにかかる足場Ｆの一段下の布枠Ｂに乗った状態で、手摺枠Ｄの解体作業を行うことができ、簡単で速やかに、しかも一段下の手摺枠Ｄで囲まれた状態で作業を遂行することができるので、転落のおそれはない。
なお、上記解体治具１は、操作杆２を円形状のアルミニウム等のパイプ素材によって構成しても、強度上も問題なく、軽量であるので、特に上腕に対する負担を軽減し、長時間に亘る作業が可能となる。
【００３１】
本発明にかかる仮設資材用解体治具１は、次のように構成することもできる。この場合の仮設資材用解体治具１では、図１２に示すように、拘束手段４として、周知の構成のクランプ手段を用いている。
このクランプ手段は、操作基杆２ａ先端に固定した基体１６と、この基体１６に、スナップ操作可能なレバー１７とを有している。すなわちこのレバー１７をスナップ操作することで、例えばレバー１７の所定部位が調節杆２ｂに向かって変位して圧接手段に作用し、この圧接手段が前記調節杆２ｂに当接して、前記調節杆２ｂを拘束するようにしている。
【００３２】
以上のような拘束手段４を用いた仮設資材用解体治具１では、拘束手段４の操作はレバー１７をスナップ操作するだけであるから一層簡単であり、作業現場で自在に、操作杆２を、使いやすい長さに調節することができ、解体作業の能率化に寄与することができる。
【００３３】
また、本発明にかかる仮設資材用解体治具１は、図１３に示すように、調節杆２ｂと調節杆２ｂ先端のロック解除具３とを、例えばアルミニウム製円筒パイプ材で一体構成することができる。もちろん、所定の強度があれば、合成樹脂製円筒パイプ材で構成することもできる。
【００３４】
このような仮設資材用解体治具１によれば、調節杆２ｂとロック解除具３とを、同じパイプ材で形成することから、部品点数が減り、工程数も軽減することから、安価に製造することができ、強度上も問題はない。
【００３５】
また、本発明にかかる仮設資材用解体治具１は、操作杆２を、断面非円形状のアルミパイプ素材で構成することもできる。この場合の断面非円形状の例としては、例えば扁平な長円形状、他、適宜な非対称形の閉ループ形状のものがある。
【００３６】
このような仮設資材用解体治具１によれば、拘束手段４として、前述のクランプ手段を採用することができ、しかも操作基杆２ａに対し、調節杆２ｂが軸廻りに回動することなく、調節杆２ｂの出し入れ調節が容易である。
【００３７】
さらに、本発明にかかる仮設資材用解体治具１は、操作杆２を、断面角形形状のアルミパイプ素材で構成することもできる。この場合、角形としては、方形に限らず、適宜な多角形のものも可能である。
【００３８】
操作杆２を断面角形パイプ材で構成したことで、調節杆２ｂが軸廻りに回動することなく、調節杆２ｂの出し入れ調節が容易であり、しかも握りやすく解除操作しやすい。その上、拘束手段４として、前述のクランプ手段を採用することができ、一層、操作しやすいものとなる。
【００３９】
【発明の効果】
以上のとおり、本発明によれば
（１）作業者は、操作杆先端側のロック解除具を、連結手段に係合して前記操作杆を変位操作させることで、前記連結手段のロック作用を解除することができ、足場ユニットを取り外すことができる。
（２）足場の構造に応じて、操作基杆に対し調節杆を出し入れするだけで、操作杆の長さを調節することができ、一層、解体作業が容易となり、能率が向上する。
（３）操作杆先端側のロック解除具における開口部を、連結手段に係合して前記操作杆の手元側を押し込むことで連結手段のロック解除を行うことができ、解体作業が容易となる。
（４）解体作業にするにあたり、解体治具を作業服の腰のベルト部分にフックロッドを引っ掛けた状態で足場を移動して、解体箇所に移動することができる。
（５）移動中に、解体治具が作業服の腰のベルト部分からフックロッドから外れても、落下を防止することができる。
（６）取り外しにかかる足場の一段下の、手摺枠で囲まれた状態の足場において仮設資材の解体作業を行うので、転落のおそれなく作業を遂行することができる。
【００４０】
【図面の簡単な説明】
【図１】本発明にかかる仮設資材用解体治具の一例を示す、外観斜視図である。
【図２】図１に示す仮設資材用解体治具の一側面図である。
【図３】図１に示す仮設資材用解体治具の操作杆を拡張した状態を示す、一側面図である。
【図４】図１に示す仮設資材用解体治具を別方向から見た、外観斜視図である。
【図５】本発明にかかる仮設資材用解体治具のフックロッドを、作業服の腰ベルト等に引っ掛け、落下防止用ロープを連結したところを示す説明図である。
【図６】足場において解体作業をする際の説明図である。
【図７】足場に敷設された手摺枠の保持構造を示した要部説明図である。
【図８】足場に敷設された手摺枠の解体作業の説明図である。
【図９】足場に敷設された手摺枠の上部側を、仮設資材用解体治具を用いて解体する際の説明図である。
【図１０】仮設資材用解体治具におけるロック解除具を、連結手段に係合したところを示す要部断面説明図である。
【図１１】仮設資材用解体治具におけるロック解除具を、連結手段に係合して操作杆を変位操作させるところを示す要部断面説明図である。
【図１２】本発明にかかる仮設資材用解体治具の別例を示す、外観斜視図である。
【図１３】本発明にかかる仮設資材用解体治具の別例を示す、要部外観斜視図である。
【符号の説明】
１                            仮設資材用解体治具
２                            操作杆
２ａ                          操作基杆
２ｂ                          調節杆
３                            ロック解除具
４                            拘束手段
５                            締付端部材
５ａ                          基端部
５ｂ                          押圧部
６                            ナット部材
７                            通孔
８                            螺合部
９                            押圧内壁
１０                          携帯用フックロッド
１１                          連結リング
１２                          連結手段
１３                          突部
１４                          ロック手段
１５                          受具
１６                          基体
１７                          レバー
Ｓ                            スリット
Ｌ                            落下防止用ロープ
Ｆ                            足場
Ａ                            建枠
Ｂ                            布枠
Ｃ                            ３角枠
Ｄ                            手摺枠
ｈ                            係止穴
【図１】
2004346693.tif 000003
【図２】
2004346693.tif 000004
【図３】
2004346693.tif 000005
【図４】
2004346693.tif 000006
【図５】
2004346693.tif 000007
【図６】
2004346693.tif 000008
【図７】
2004346693.tif 000009
【図８】
2004346693.tif 000010
【図９】
2004346693.tif 000011
【図１０】
2004346693.tif 000012
【図１１】
2004346693.tif 000013
【図１２】
2004346693.tif 000014
【図１３】
2004346693.tif 000015